(57)【要約】【課題】ノイズキャンセリング機能を高めることが可能なコイル体を提供する。【解決手段】本発明の一態様に係るコイル体は、第１コイルと、第２コイルとを備える。第１コイルは、第１層と、第１層に連なる第２層とを有する。第２コイルは、第３層と、第３層に連なる第４層とを有する。第３層は、第１層と第２層とに挟み込まれるように配置される。第２層は、第３層と第４層とに挟み込まれるように配置される。第１層、第２層、第３層及び第４層は、平面視において第１方向に周回する第１部分と、第１部分と連なり、かつ平面視において第１方向とは逆方向である第２方向に周回する第２部分とを含む。第１コイルを構成する材料と第２コイルを構成する材料は、互いに異なる。【選択図】図１
2019016762.tif 000002
【特許請求の範囲】
【請求項１】
第１コイルと、
第２コイルとを備え、
前記第１コイルは、第１層と、前記第１層に連なる第２層とを有し、
前記第２コイルは、第３層と、前記第３層に連なる第４層とを有し、
前記第３層は、前記第１層と前記第２層とに挟み込まれるように配置され、
前記第２層は、前記第３層と前記第４層とに挟み込まれるように配置され、
前記第１層、前記第２層、前記第３層及び前記第４層は、平面視において第１方向に周回する第１部分と、前記第１部分と連なり、かつ平面視において前記第１方向とは逆方向である第２方向に周回する第２部分とを含み、
前記第１コイルを構成する材料と前記第２コイルを構成する材料は、互いに異なる、コイル体。
【請求項２】
前記第１層の前記第１部分及び前記第２層の前記第１部分は、平面視において、前記第３層の前記第２部分及び前記第４層の前記第２部分と重なり、
前記第１層の前記第２部分及び前記第２層の前記第２部分は、平面視において、前記第３層の前記第１部分及び前記第４層の前記第１部分と重なる、請求項１に記載のコイル体。
【請求項３】
前記第１コイルを構成する材料の弾性率は、前記第２コイルを構成する材料の弾性率と異なる、請求項１に記載のコイル体。
【請求項４】
前記第１コイルを構成する材料は、磁性体であり、
前記第２コイルを構成する材料は、非磁性体である、請求項１に記載のコイル体。
【請求項５】
前記第１コイルを構成する材料は、鉄であり、
前記第２コイルを構成する材料は、銅である、請求項１に記載のコイル体。
【請求項６】
芯材をさらに備え、
前記第１層の前記第１部分及び前記第２層の前記第１部分は、平面視において、前記第３層の前記第２部分及び前記第４層の前記第２部分と重なり、
前記第１層の前記第１部分及び前記第２層の前記第１部分は、平面視において前記芯材の周囲を前記第１方向に周回し、
前記第３層の前記第２部分及び前記第４層の前記第２部分は、平面視において前記芯材の周囲を前記第２方向に周回する、請求項１に記載のコイル体。
【請求項７】
電源に接続される第１端子と、
音響機器に接続される第２端子と、
前記第１端子及び前記第２端子に電気的に接続される請求項１〜請求項６のいずれか１項に記載の前記コイル体とを備える、電源ユニット。
【発明の詳細な説明】
【技術分野】
【０００１】  本発明は、コイル体及び電源ユニットに関する。
【背景技術】
【０００２】  従来から、特開平７−２０４２７５号公報（特許文献１）に記載のコイル体が知られている。特許文献１に記載のコイル体は、複数の層により構成されている。特許文献１に記載のコイル体において、隣接する層は、互いに連なっている。特許文献１に記載のコイル体において、複数の層の各々は、平面視において８の字形状を有している。すなわち、複数の層の各々は、第１部分と、第１部分に連なる第２部分とを有している。第１部分は、平面視において、第１方向に沿って周回している。第２部分は、平面視において、第２方向に沿って周回している。第２方向は、第１方向とは逆方向である。
【先行技術文献】
【特許文献】
【０００３】
【特許文献１】特開平７−２０４２７５号公報
【発明が解決しようとする課題】
【０００４】  特許文献１に記載のコイル体によると、第１部分を流れる電流による誘導磁場と、第２部分を流れる電流による誘導磁場とは、互いに逆位相となる。すなわち、第１部分を流れる電流による誘導磁場と、第２部分を流れる電流による誘導磁場とは、互いに打ち消し合う。したがって、特許文献１に記載のコイル体は、原理的には、一種のノイズキャンセラとして機能する。
【０００５】  しかしながら、本発明者らが見出した知見によると、特許文献１に記載のコイル体のノイズキャンセラとしての機能には、改善の余地がある。
【０００６】  本発明は、このような従来技術の問題点に鑑みてなされたものである。より具体的には、本発明は、ノイズキャンセリング機能を高めることが可能なコイル体及び電源ユニットを提供するものである。
【課題を解決するための手段】
【０００７】  本発明の一態様に係るコイル体は、第１コイルと、第２コイルとを備える。第１コイルは、第１層と、第１層に連なる第２層とを有する。第２コイルは、第３層と、第３層に連なる第４層とを有する。第３層は、第１層と第２層とに挟み込まれるように配置される。第２層は、第３層と第４層とに挟み込まれるように配置される。第１層、第２層、第３層及び第４層は、平面視において第１方向に周回する第１部分と、第１部分と連なり、かつ平面視において第１方向とは逆方向である第２方向に周回する第２部分とを含む。第１コイルを構成する材料と第２コイルを構成する材料は、互いに異なる。
【０００８】  上記のコイル体において、第１層の第１部分及び第２層の第１部分は、平面視において、第３層の第２部分及び第４層の第２部分と重なり、第１層の第２部分及び第２層の第２部分は、平面視において、第３層の第１部分及び第４層の第１部分と重なっていてもよい。
【０００９】  上記のコイル体において、第１コイルを構成する材料の弾性率は、第２コイルを構成する材料の弾性率と異なっていてもよい。
【００１０】  上記のコイル体において、第１コイルを構成する材料は、磁性体であり、第２コイルを構成する材料は、非磁性体であってもよい。
【００１１】  上記のコイル体において、第１コイルを構成する材料は、鉄であり、第２コイルを構成する材料は、銅であってもよい。
【００１２】  上記のコイル体は、芯材をさらに備えていてもよい。第１層の第１部分及び第２層の第１部分は、平面視において、第３層の第２部分及び第４層の第２部分と重なっていてもよい。第１層の第１部分及び第２層の第１部分は、平面視において芯材の周囲を第１方向に周回し、第３層の第２部分及び第４層の第２部分は、平面視において芯材の周囲を第２方向に周回していてもよい。
【００１３】  本発明の一態様に係る電源ユニットは、電源に接続される第１端子と、音響機器に接続される第２端子と、第１端子及び第２端子に電気的に接続される上記のコイル体とを備える。
【発明の効果】
【００１４】  本発明の一態様に係るコイル体及び電源ユニットによると、ノイズキャンセリング機能を高めることができる。
【図面の簡単な説明】
【００１５】
【図１】第１実施形態に係るコイル体１０の側面図である。
【図２】第１コイル１及び第２コイル２の上面図である。
【図３】第１実施形態に係るコイル体１０の上面図である。
【図４】官能試験に用いられた装置構成の模式図である。
【図５】官能試験結果を示すグラフである。
【図６】第２実施形態に係るコイル体２０の側面図である。
【図７】第２実施形態に係るコイル体２０の上面図である。
【図８】第３実施形態に係る電源ユニット１００の模式図である。
【発明を実施するための形態】
【００１６】  本発明の実施形態の詳細について、図を参照して説明する。なお、各図中同一又は相当部分には同一符号を付している。また、以下に記載する実施の形態の少なくとも一部を任意に組み合わせてもよい。
【００１７】  （第１実施形態）
以下に、第１実施形態に係るコイル体１０の構成を説明する。
図１は、第１実施形態に係るコイル体１０の側面図である。図１に示すように、第１実施形態に係るコイル体１０は、第１コイル１と、第２コイル２とを有している。
【００１８】  第１コイル１を構成する材料と第２コイル２を構成する材料は、互いに異なっている。第１コイル１を構成する材料の弾性率は、第２コイル２を構成する材料の弾性率と異なっていてもよい。第１コイル１を構成する材料の弾性率と第２コイル２を構成する材料の弾性率との差は、１００ＧＰａ以上１３０ＧＰａ以下であってもよい。第１コイル１を構成する材料は磁性体であり、第２コイル２を構成する材料は非磁性体であってもよい。第１コイル１に用いられる材料は、例えば鉄（Ｆｅ）である。第２コイル２に用いられる材料は、例えば銅（Ｃｕ）である。第１コイル１に用いられる材料は、ニッケル（Ｎｉ）であってもよい。第２コイルに用いられる材料は、例えばアルミニウム（Ａｌ）であってもよい。
【００１９】  第１コイル１は、第１層１１と、第２層１２とを有している。第２層１２は、第１層１１に連なっている。なお、第１コイル１は、より多くの層により構成されていてもよい。第２コイル２は、第３層２１と、第４層２２とを有している。第４層２２は、第３層２１に連なっている。なお、第２コイル２は、より多くの層により構成されていてもよい。
【００２０】  第３層２１は、第１層１１と第２層１２との間に配置されている。第２層１２は、第３層２１と第４層２２との間に配置されている。すなわち、第１コイル１を構成する層と、第２コイル２を構成する層とは、コイル体１０のコイル軸方向に沿って、交互に配置されている。
【００２１】  図２は、第１コイル１及び第２コイル２の上面図である。図２（Ａ）に示すように、第１層１１は、平面視において（コイル体１０のコイル軸方向に平行な方向からみて）、８の字形状を有している。すなわち、第１層１１は、第１部分１１ａと、第２部分１１ｂとを有している。第２部分１１ｂは、第１部分１１ａに連なっている。第１部分１１ａは、平面視において、第１方向Ｄ１に周回している。第２部分１１ｂは、平面視において、第２方向Ｄ２に周回している。第２方向Ｄ２は、第１方向Ｄ１と反対方向である。例えば第１方向Ｄ１が反時計回り方向である場合、第２方向Ｄ２は時計回り方向である。
【００２２】  なお、図２（Ａ）において図示していないが、第２層１２は、第１部分１２ａと、第２部分１２ｂとを有している。第１部分１２ａは、第２部分１１ｂに連なっている。第２部分１２ｂは、第１部分１２ａに連なっている。第１部分１２ａは、平面視において第１方向Ｄ１に周回しており、第２部分１２ｂは、平面視において第２方向Ｄ２に周回している。
【００２３】  図２（Ｂ）に示すように、第３層２１及び第４層２２も、第１層１１及び第２層１２と同様の形状を有している（平面視において、８の字形状を有している）。すなわち、第３層２１は、平面視において第１方向Ｄ１に周回する第１部分２１ａと、第１部分２１ａに連なり、かつ平面視において第２方向Ｄ２に周回する第２部分２１ｂとを有しており、第４層２２は、第２部分２１ｂに連なり、かつ平面視において第１方向Ｄ１に周回する第１部分２２ａと、第１部分２２ａに連なり、かつ平面視において第２方向Ｄ２に周回する第２部分２２ｂとを有している。
【００２４】  図３は、第１実施形態に係るコイル体１０の上面図である。なお、図３においては、第１コイル１と第２コイル２との関係を明らかにするため、第２コイル２を第１コイル１からずらして記載しているが、第１コイル１と第２コイル２とは互いに重なるように配置されていてもよい。図３に示すように、第１コイル１と第２コイル２とは、第１部分１１ａ及び第１部分１２ａが第２部分２１ｂ及び第２部分２２ｂと重なり、かつ第２部分１１ｂ及び第２部分１２ｂが第１部分２１ａ及び第１部分２２ａと重なるように配置されていてもよい。
【００２５】  以下に、第１実施形態に係るコイル体１０の効果を説明する。
上記のとおり、第１層１１、第２層１２、第３層２１及び第４層２２は、第１部分１１ａ、第１部分１２ａ、第１部分２１ａ及び第１部分２２ａ並びに第２部分１１ｂ、第２部分１２ｂ、第２部分２１ｂ及び第２部分２２ｂを有している。第１部分１１ａ、第１部分１２ａ、第１部分２１ａ及び第１部分２２ａの平面視における周回方向（第１方向Ｄ１）は、上記のとおり、第２部分１１ｂ、第２部分１２ｂ、第２部分２１ｂ及び第２部分２２ｂの平面視における周回方向（第２方向Ｄ２）と逆である。
【００２６】  そのため、第１部分１１ａ、第１部分１２ａ、第１部分２１ａ及び第１部分２２ａを流れる電流による誘導磁場は、第２部分１１ｂ、第２部分１２ｂ、第２部分２１ｂ及び第２部分２２ｂを流れる電流による誘導磁場と逆位相になり、互いに打ち消される。このことを別の観点からいえば、電流の変動は、当該電流が第１実施形態に係るコイル体１０を通過することにより抑制される。このように、第１実施形態に係るコイル体１０は、ノイズキャンセラとして機能する。
【００２７】  第１コイル１及び第２コイル２を流れる電流は、第１コイル１及び第２コイル２自身に対してローレンツ力を生じさせる。このローレンツ力は、第１コイル１及び第２コイル２の振動の原因となる。このような振動は、周囲に対する騒音の原因となる。しかしながら、第１コイル１及び第２コイル２には、互いに異なる材料が用いられている。そのため、第１コイル１及び第２コイル２は、互いに異なる周波数で振動し、互いの振動により発せられる騒音を互いに打ち消す。したがって、第１実施形態に係るコイル体１０によると、ノイズキャンセリング効果を高めることができる。
【００２８】  第１部分１１ａ及び第１部分１２ａが第２部分２１ｂ及び第２部分２２ｂと重なり、かつ第２部分１１ｂ及び第２部分１２ｂが第１部分２１ａ及び第１部分２２ａと重なっている場合には、第１部分１１ａ及び第１部分１２ａを流れる電流による誘導磁場は、第２部分２１ｂ及び第２部分２２ｂを流れる電流による誘導磁場と逆位相になり、第２部分１１ｂ及び第２部分１２ｂを流れる電流による誘導磁場は、第１部分２１ａ及び第１部分２２ａを流れる電流による誘導磁場と逆位相になり、互いに打ち消される。この場合には、誘導磁場がさらに打ち消されやすくなり、コイル体１０の内部における磁気的中性がより高められやすいため、ノイズキャンセリング効果がさらに高まる。
【００２９】  以下に、第１実施形態に係るコイル体１０のノイズキャンセリング効果を確認するために行った試験結果を説明する。
【００３０】  ＜装置構成＞
図４は、官能試験に用いられた装置構成の模式図である。官能試験に用いられた装置は、電源タップ４１と、電源ユニット４２と、第１のＣＤラジカセ４３と、第２のＣＤラジカセ４４とを有している。電源タップ４１は、１００Ｖの電源に接続されている。第１のＣＤラジカセ４３は、電源タップ４１に直接接続されている。第２のＣＤラジカセ４４は、電源ユニット４２を介して電源タップ４１に接続されている。電源ユニット４２は、コイル体１０を有している。コイル体１０は、電源ユニット４２内において、電源タップ４１側の端子と第２のＣＤラジカセ４４とに接続されている。
【００３１】  ＜試験方法＞
第１のＣＤラジカセ４３及び第２のＣＤラジカセ４４の音源には、「交響組曲ドラゴンクエスト」が録音されたＣＤを用いた。被験者は、７名とした。なお、この７名の被験者の構成は、男性３名、女性４名であり、この７名の被験者の年齢は、３４歳から７６歳であった。被験者には、どちらのＣＤラジカセがコイル体１０の内蔵された電源ユニット４２に接続されているかを秘匿した。
【００３２】  官能試験においては、ＳＤ（Ｓｅｍａｎｔｉｃ  Ｄｉｆｆｅｒｅｎｔｉａｌ）法に基づき、第１のＣＤラジカセ４３及び第２のＣＤラジカセ４４で上記ＣＤを１回ずつ再生した後に、第１のＣＤラジカセ４３及び第２のＣＤラジカセ４４から流れる音楽のいずれの印象がよいかをアンケート用紙に記入させた。このアンケートにおいては、音楽がはっきりしているか否か、音楽が澄んでいるか否か、音楽が滑らかか否か及び音楽に広がりがあるか否かの４項目について、７段階で評価させた（なお、最高点が７であり、最低点が１である）。このアンケートにおいては、音楽を聴いた際の印象、気分、好みについても記載させた。
【００３３】  ＜試験結果＞
図５は、官能試験結果を示すグラフである。図５に示すように、第１のＣＤラジカセ４３によって再生された音楽を聴いた被験者による官能試験の評価点は、いずれの評価項目についても、平均点が３点未満であった。他方で、第２のＣＤラジカセ４４によって再生された音楽を聴いた被験者による官能試験の評価点は、いずれの項目についても平均点が６点を超えていた。
【００３４】  音楽を聴いた際の印象、気分に関しては、第１のＣＤラジカセ４３によって再生された音楽を聴いた被験者７名全員が、何も感じない又は気分が悪くなったと述べた。他方で、第２のＣＤラジカセ４４によって再生された音楽を聴いた被験者全員が、気持ちがよいと述べた。音楽を聴いた際の好みに関しては、第１のＣＤラジカセ４３によって再生された音楽を聴いた被験者７名全員が、好みの音ではないと述べた。他方で、第２のＣＤラジカセ４４によって再生された音楽を聴いた被験者７名全員が、好みの音であると述べた。
【００３５】  以上の官能試験結果から、コイル体１０のノイズキャンセリング効果により音響機器によって再生される音の音質が改善されることが、実験的にも明らかとされた。
【００３６】  以上のような試験結果から、第１実施形態に係るコイル体１０によるとノイズキャンセリング効果が高まることが、実験的にも確認された。
【００３７】  （第２実施形態）
以下に、第２実施形態に係るコイル体２０の構成を説明する。なお、以下においては、第１実施形態に係るコイル体１０の構成と異なる点を主に説明する。
【００３８】  図６は、第２実施形態に係るコイル体２０の側面図である。図７は、第２実施形態に係るコイル体２０の上面図である。図６及び図７に示すように、第２実施形態に係るコイル体２０は、第１コイル１と、第２コイル２とを有している。
【００３９】  第１コイル１は、第１層１１と、第１層１１に連なる第２層１２とを有している。第２コイル２は、第３層２１と、第３層２１に連なる第４層２２とを有している。第３層２１は、第１層１１と第２層１２とに挟み込まれるように配置されている。第２層１２は、第３層２１と第４層２２とに挟み込まれるように配置されている。
【００４０】  第１層１１は、平面視において第１方向Ｄ１に周回する第１部分１１ａと、第１部分１１ａと連なり、かつ平面視において第２方向Ｄ２に周回する第２部分１１ｂとを含んでいる。第２層１２は、平面視において第１方向Ｄ１に周回する第１部分１２ａと、第１部分１２ａと連なり、かつ平面視において第２方向Ｄ２に周回する第２部分１２ｂとを含んでいる。
【００４１】  第３層２１は、平面視において第１方向Ｄ１に周回する第１部分２１ａと、第１部分２１ａと連なり、かつ平面視において第２方向Ｄ２に周回する第２部分２１ｂとを含んでいる。第４層２２は、平面視において第１方向Ｄ１に周回する第１部分２２ａと、第１部分１２ａと連なり、かつ平面視において第２方向Ｄ２に周回する第２部分２２ｂとを含んでいる。
【００４２】  第１コイル１を構成する材料と第２コイル２を構成する材料は、互いに異なっている。これらの点に関して、第２実施形態に係るコイル体２０は、第１実施形態に係るコイル体１０と共通している。
【００４３】  しかしながら、第２実施形態に係るコイル体２０は、芯材３をさらに有している点において、第１実施形態に係るコイル体１０と異なっている。また、第２実施形態に係るコイル体２０は、第１コイル１及び第２コイル２の重なり合い方が第１実施形態に係るコイル体１０と異なっている。
【００４４】  芯材３は、第２実施形態に係るコイル体２０のコイル軸方向に沿って延在している。芯材３は、柱状形状を有している。芯材３は、好ましくは円柱形状を有している。
【００４５】  第１コイル１と第２コイルとは、第１部分１１ａ及び第１部分１２ａが第２部分２１ｂ及び第２部分２２ｂと重なるように配置されている。芯材３は、第１部分１１ａ、第１部分１２ａ、第２部分２１ｂ及び第２部分２２ｂに挿入されている。このことを別の観点からいえば、第１部分１１ａ及び第１部分１２ａは、平面視において、芯材３の周囲を第１方向Ｄ１に周回しており、第２部分２１ｂ及び第２部分２２ｂは、平面視において、芯材３の周囲を第２方向Ｄ２に周回している。
【００４６】  芯材３に用いられる材料は、特に限定されない。芯材３に用いられる材料は、金属であってもよい。芯材３に用いられる材料は、非金属であってもよい。芯材３に用いられる材料は、磁性体であってもよい。芯材３に用いられる材料は、非磁性体であってもよい。芯材３は、例えばＣｕ等の電線であってもよく、光ファイバー線であってもよい。
【００４７】  以下に、第２実施形態に係るコイル体２０の効果を説明する。なお、以下においては、第１実施形態に係るコイル体１０の効果と異なる点を主に説明する。
第２実施形態に係るコイル体２０においては、第１部分１１ａ及び第１部分１２ａが第２部分２１ｂ及び第２部分２２ｂと重なっているため、当該部分において磁気的な中性が高まっている。芯材３は、そのような磁気的に中性な部分を通過するように配置されている。そのため、芯材３に電気信号、光信号等が通される場合、それらの信号等に対する処理能力、応答速度が向上する。すなわち、第２実施形態に係るコイル体２０によると、芯材３の性能、特性が改善される。
【００４８】  以下に、第３実施形態に係る電源ユニット１００の構成を説明する。
図８は、第３実施形態に係る電源ユニット１００の模式図である。図８に示すように、第３実施形態に係る電源ユニット１００は、第１端子１００ａと、第２端子１００ｂとを有している。第１端子１００ａは、電源ＰＷに接続されている。電源ＰＷは、例えば交流電源である。第２端子１００ｂは、音響機器ＡＥに接続される。音響機器ＡＥは、例えばオーディオアンプである。
【００４９】  第３実施形態に係る電源ユニット１００は、例えばＡＣ−ＡＣコンバータである。なお、電源ユニット１００の内部には、電気回路が配置されているが、図８においては図示が省略されている。電源ユニット１００の内部に配置される電気回路は、従来公知のものでよい。
【００５０】  電源ユニット１００は、第１実施形態に係るコイル体１０又は第２実施形態に係るコイル体２０を有している。コイル体１０（コイル体２０）は、第１端子１００ａ及び第２端子１００ｂに電気的に接続されている。
【００５１】  以下に、第３実施形態に係る電源ユニット１００の効果を説明する。上記のとおり、第１実施形態に係るコイル体１０及び第２実施形態に係るコイル体２０は、ノイズキャンセラとして働く。そのため、電源ユニット１００によると、電源ＰＷに含まれるノイズが音響機器ＡＥに伝達されてしまうことを抑制できる。
【００５２】  上のように本発明の実施形態について説明を行ったが、上述の実施形態を様々に変形することも可能である。また、本発明の範囲は上述の実施形態に限定されるものではない。本発明の範囲は、特許請求の範囲によって示され、特許請求の範囲と均等の意味及び範囲内での全ての変更を含むことが意図される。
【産業上の利用可能性】
【００５３】  各実施形態に係るコイル体は、例えば電源ユニットに組み込まれるコイル体に有利に適用される。実施形態に係る電源ユニットは、例えば音響機器用の電源ユニットに有利に適用される。
【符号の説明】
【００５４】  １  第１コイル、２  第２コイル、３  芯材、１１  第１層、１２  第２層、２１  第３層、２２  第４層、１１ａ，１２ａ，２１ａ，２２ａ  第１部分、１１ｂ，１２ｂ，２１ｂ，２２ｂ  第２部分、１０，２０，３０  コイル体、４１  電源タップ、４２  電源ユニット、４３  第１のＣＤラジカセ、４３  第２のＣＤラジカセ、１００  電源ユニット、１００ａ  第１端子、１００ｂ  第２端子、ＡＥ  音響機器、Ｄ１  第１方向、Ｄ２  第２方向、ＰＷ  電源。
【図１】
2019016762.tif 000003
【図２】
2019016762.tif 000004
【図３】
2019016762.tif 000005
【図４】
2019016762.tif 000006
【図５】
2019016762.tif 000007
【図６】
2019016762.tif 000008
【図７】
2019016762.tif 000009
【図８】
2019016762.tif 000010
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
第１コイルと、
第２コイルとを備え、
前記第１コイルは、第１層と、前記第１層に連なる第２層とを有し、
前記第２コイルは、第３層と、前記第３層に連なる第４層とを有し、
前記第３層は、前記第１層と前記第２層とに挟み込まれるように配置され、
前記第２層は、前記第３層と前記第４層とに挟み込まれるように配置され、
前記第１層、前記第２層、前記第３層及び前記第４層は、平面視において第１方向に周回する第１部分と、前記第１部分と連なり、かつ平面視において前記第１方向とは逆方向である第２方向に周回する第２部分とを含み、
前記第１コイルを構成する材料と前記第２コイルを構成する材料は、互いに異なり、
前記第１コイルを構成する材料は、磁性体であり、
前記第２コイルを構成する材料は、非磁性体である、コイル体。
【請求項２】
第１コイルと、
第２コイルとを備え、
前記第１コイルは、第１層と、前記第１層に連なる第２層とを有し、
前記第２コイルは、第３層と、前記第３層に連なる第４層とを有し、
前記第３層は、前記第１層と前記第２層とに挟み込まれるように配置され、
前記第２層は、前記第３層と前記第４層とに挟み込まれるように配置され、
前記第１層、前記第２層、前記第３層及び前記第４層は、平面視において第１方向に周回する第１部分と、前記第１部分と連なり、かつ平面視において前記第１方向とは逆方向である第２方向に周回する第２部分とを含み、
前記第１コイルを構成する材料と前記第２コイルを構成する材料は、互いに異なり、
前記第１コイルを構成する材料は、鉄であり、
前記第２コイルを構成する材料は、銅である、コイル体。
【請求項３】
前記第１層の前記第１部分及び前記第２層の前記第１部分は、平面視において、前記第３層の前記第２部分及び前記第４層の前記第２部分と重なり、
前記第１層の前記第２部分及び前記第２層の前記第２部分は、平面視において、前記第３層の前記第１部分及び前記第４層の前記第１部分と重なる、請求項１又は請求項２に記載のコイル体。
【請求項４】
前記第１コイルを構成する材料の弾性率は、前記第２コイルを構成する材料の弾性率と異なる、請求項１又は請求項２に記載のコイル体。
【請求項５】
芯材をさらに備え、
前記第１層の前記第１部分及び前記第２層の前記第１部分は、平面視において、前記第３層の前記第２部分及び前記第４層の前記第２部分と重なり、
前記第１層の前記第１部分及び前記第２層の前記第１部分は、平面視において前記芯材の周囲を前記第１方向に周回し、
前記第３層の前記第２部分及び前記第４層の前記第２部分は、平面視において前記芯材の周囲を前記第２方向に周回する、請求項１又は請求項２に記載のコイル体。
【請求項６】
電源に接続される第１端子と、
音響機器に接続される第２端子と、
前記第１端子及び前記第２端子に電気的に接続される請求項１〜請求項５のいずれか１項に記載の前記コイル体とを備える、電源ユニット。